(57)【要約】【課題】特定人物が複数人いる場合でも、特定人物の顔画像を含む画像データを容易に検索すること。【解決手段】本発明の携帯端末は、表示部と、画像データを格納する記憶部と、前記画像データに顔画像が含まれる特定人物に対応付けた人物フォルダーの一覧を前記表示部に表示し、人物フォルダーのいずれかが選択されると、選択された人物フォルダーに対応付けた特定人物の顔画像を含む画像データの一覧を前記表示部に表示する制御部と、を有する。【選択図】図１
2013037525.tif 000002
【特許請求の範囲】
【請求項１】
表示部と、
画像データを格納する記憶部と、
前記画像データに顔画像が含まれる特定人物に対応付けた人物フォルダーの一覧を前記表示部に表示し、人物フォルダーのいずれかが選択されると、選択された人物フォルダーに対応付けた特定人物の顔画像を含む画像データの一覧を前記表示部に表示する制御部と、を有する、携帯端末。
【請求項２】
前記制御部は、
前記画像データに複数の特定人物の顔画像が含まれる場合、複数の特定人物の組み合わせと対応付けた人物フォルダーも表示し、
複数の特定人物の組み合わせと対応付けた人物フォルダーが選択されると、複数の特定人物全ての顔画像を含む画像データの一覧を前記表示部に表示する、請求項１に記載の携帯端末。
【請求項３】
前記記憶部は、
特定人物の顔画像を含むアドレス帳も格納し、
前記制御部は、
前記アドレス帳に含まれる特定人物の顔画像に基づいて、前記画像データに特定人物の顔画像が含まれるか否かを判断する、請求項１または２に記載の携帯端末。
【請求項４】
前記アドレス帳は、
前記携帯端末の所有者と特定人物との関係を表す関係情報も含み、
前記制御部は、
前記人物フォルダーの一覧を表示する際の各人物フォルダーの優先順位を、該人物フォルダーに対応付けた特定人物との関係情報に基づいて決定する、請求項３に記載の携帯端末。
【請求項５】
前記制御部は、
前記人物フォルダーの一覧を表示する際の各人物フォルダーの優先順位を、該人物フォルダーに対応付けた特定人物の人数に基づいて決定する、請求項２に記載の携帯端末。
【請求項６】
前記記憶部は、
特定人物との通信履歴も格納し、
前記制御部は、
前記人物フォルダーの一覧を表示する際の各人物フォルダーの優先順位を、該人物フォルダーに対応付けた特定人物との通信履歴に基づいて決定する、請求項２に記載の携帯端末。
【請求項７】
前記人物フォルダーは、日付フォルダーのサブフォルダーであり、
前記制御部は、
前記日付フォルダー単位で、該日付フォルダーに対応する日付に前記記憶部に格納された画像データを対象として、前記人物フォルダーを表示する、請求項１から６のいずれか１項に記載の携帯端末。
【請求項８】
前記制御部は、
複数の日付フォルダーを連結した場合、該複数の日付フォルダーにそれぞれ対応する複数の日付にそれぞれ前記記憶部に格納された画像データ全てを対象として、前記人物フォルダーを表示する、請求項７に記載の携帯端末。
【請求項９】
携帯端末が行う画像管理方法であって、
画像データを格納し、
前記画像データに顔画像が含まれる特定人物と対応付けた人物フォルダーの一覧を表示し、
前記人物フォルダーのいずれかが選択されると、選択された人物フォルダーに対応付けた特定人物の顔画像を含む画像データの一覧を表示する、画像処理方法。
【請求項１０】
携帯端末に、
画像データを格納する手順と、
前記画像データに顔画像が含まれる特定人物と対応付けた人物フォルダーの一覧を表示する手順と、
前記人物フォルダーのいずれかが選択されると、選択された人物フォルダーに対応付けた特定人物の顔画像を含む画像データの一覧を表示する手順と、を実行させるためのプログラム。
【発明の詳細な説明】
【技術分野】
【０００１】
本発明は、携帯端末、画像管理方法、プログラムに関する。
【背景技術】
【０００２】
画像データの管理に関する技術が幾つか開示されている。
【０００３】
例えば、特許文献１には、特定人物が指定されると、特定人物の顔画像を含む画像データを優先的に選択して表示する技術が記載されている。
【０００４】
また、特許文献２には、メンバに関連する画像データを、そのメンバが属するグループに対応するグループフォルダに格納して管理する技術が記載されている。
【先行技術文献】
【特許文献】
【０００５】
【特許文献１】特開２００７−０５８７９５号公報
【特許文献２】特開２０１１−０４３８９１号公報
【発明の概要】
【発明が解決しようとする課題】
【０００６】
しかしながら、特許文献１に記載された技術では、特定人物の顔画像を含む画像データを検索する際に、特定人物が複数人いる場合（例えば、Ａさん、Ｂさん、Ｃさん）、ユーザーは、まず、Ａさんを指定して画像データを表示し、以降に、Ｂさん、Ｃさんを順次指定するという具合に、その都度、検索条件を変える必要があり、手間が掛かっていた。
【０００７】
また、特許文献２に記載された技術では、ユーザーは、特定人物の顔画像を含む画像データを検索する場合、特定人物が属するグループに対応するグループフォルダに格納された全ての画像データを検索する必要があり、手間が掛かっていた。
【０００８】
そこで、本発明の目的は、上述した課題を解決し、特定人物が複数人いる場合でも、特定人物の顔画像を含む画像データを容易に検索することができる携帯端末、画像管理方法、プログラムを提供することにある。
【課題を解決するための手段】
【０００９】
本発明の携帯端末は、
表示部と、
画像データを格納する記憶部と、
前記画像データに顔画像が含まれる特定人物に対応付けた人物フォルダーの一覧を前記表示部に表示し、人物フォルダーのいずれかが選択されると、選択された人物フォルダーに対応付けた特定人物の顔画像を含む画像データの一覧を前記表示部に表示する制御部と、を有する。
【００１０】
本発明の画像管理方法は、
携帯端末が行う画像管理方法であって、
画像データを格納し、
前記画像データに顔画像が含まれる特定人物と対応付けた人物フォルダーの一覧を表示し、
前記人物フォルダーのいずれかが選択されると、選択された人物フォルダーに対応付けた特定人物の顔画像を含む画像データの一覧を表示する。
【００１１】
本発明のプログラムは、
携帯端末に、
画像データを格納する手順と、
前記画像データに顔画像が含まれる特定人物と対応付けた人物フォルダーの一覧を表示する手順と、
前記人物フォルダーのいずれかが選択されると、選択された人物フォルダーに対応付けた特定人物の顔画像を含む画像データの一覧を表示する手順と、を実行させる。
【発明の効果】
【００１２】
本発明によれば、特定人物が複数人いる場合でも、特定人物の顔画像を含む画像データを容易に検索することができるという効果が得られる。
【図面の簡単な説明】
【００１３】
【図１】本発明の第１の実施形態の携帯端末の構成を示すブロック図である。
【図２】本発明の第２の実施形態の携帯端末の構成を示すブロック図である。
【図３】本発明の第２の実施形態の携帯端末に係るアドレス帳の内容を示す図である。
【図４】本発明の第２の実施形態の携帯端末の動作の概要を説明する図である。
【図５】本発明の第２の実施形態の携帯端末の全体動作の流れを説明するフローチャートである。
【図６】本発明の第２の実施形態の携帯端末において、人物フォルダーが選択された場合の動作を説明する図である。
【図７】本発明の第２の実施形態の携帯端末において、人物フォルダーの一覧を表示する場合の動作を説明する図である。
【図８】本発明の第２の実施形態の携帯端末において、日付フォルダーを連結する場合の動作を説明する図である。
【図９】本発明の第２の実施形態の携帯端末において、連結された日付フォルダーが選択された場合の動作を説明する図である。
【図１０】本発明の第３の実施形態の携帯端末において、複数人の特定人物に対応付けた人物フォルダーを作成する場合の動作を説明する図である。
【図１１】本発明の第３の実施形態の携帯端末において、個別の特定人物に対応付けた人物フォルダーを表示する場合の動作を説明する図である。
【発明を実施するための形態】
【００１４】
以下に、本発明を実施するための形態について図面を参照して説明する。
（１）第１の実施形態
図１に示すように、本実施形態の携帯端末は、表示部１と、記憶部２と、制御部３と、を有している。
【００１５】
表示部１は、フォルダーや画像データ等を表示する。
【００１６】
記憶部２は、画像データを格納する。
【００１７】
制御部３は、記憶部２に格納された画像データに顔画像が含まれる特定人物に対応付けた人物フォルダーの一覧を表示部１に表示する。
【００１８】
また、制御部３は、人物フォルダーのいずれかが選択されると、選択された人物フォルダーに対応付けた特定人物の顔画像を含む画像データの一覧を表示部１に表示する。
【００１９】
上述したように本実施形態においては、画像データに顔画像が含まれる特定人物に対応付けた人物フォルダーを、一度に一覧として表示する。
【００２０】
そのため、特定人物が複数人いる場合でも、特定人物の顔画像を含む画像データを容易に検索することができるという効果が得られる。
【００２１】
なお、本発明の人物フォルダーは、画像データを表示するための論理的なフォルダーであり、実際に記憶部２に人物フォルダーを作成する必要はない（元の画像データを移動するものではない）。
【００２２】
人物フォルダーは、例えば、以下のような情報を含むファイルとなる。
【００２３】
ａ）一覧表示において、人物フォルダーを表示するための情報（アイコン情報）
ｂ）人物フォルダーが選択された場合に、その人物フォルダーに対応する画像データの一覧を表示するためのデータ（画像データの名前（ファイル名）と画像データが格納されている実際の位置）
ただし、記憶部２に人物フォルダーを作成することも可能であり、その場合、人物フォルダーには、上記のａ）、ｂ）のファイルが保存されることとなる。
（２）第２の実施形態
本実施形態は、本発明の携帯端末を、カメラ機能を備えた携帯電話機やスマートフォンなどに適用し、第１の実施形態の構成および動作を具体化した例である。
（２−１）第２の実施形態の構成
次に、本実施形態の携帯端末の構成について、図２を参照して説明する。
【００２４】
図２に示されるように、本実施形態の携帯端末は、ＣＰＵ（Central Processing Unit）１０と、カメラ部２０と、画像格納部３０と、顔認識部４０と、アドレス帳登録部５０と、顔画像比較部６０と、操作部７０と、表示部８０と、を有している。
【００２５】
なお、図３において、ＣＰＵ１０、顔認識部４０、および顔画像比較部６０は、図１の制御部３に対応し、また、画像格納部３０およびアドレス帳登録部５０は、図１の記憶部２に対応し、また、表示部８０は、図１の表示部１に対応する。
【００２６】
ＣＰＵ１０は、本携帯端末全体をコントロールする。
【００２７】
カメラ部２０は、外部映像を撮影し、撮影した画像データを取り込む。
【００２８】
画像格納部３０は、カメラ部２０で取り込まれた画像データを格納する。
【００２９】
顔認識部４０は、画像格納部３０に格納された画像データから顔画像を認識する。
【００３０】
アドレス帳登録部５０には、図３に示されるように、特定人物の名前、電話番号、メールアドレス、顔画像、ステータス情報（本携帯端末を所有するユーザーと特定人物との関係を表す関係情報）等を含むアドレス帳が登録されている。
【００３１】
一般には、アドレス帳に人物と対応付けて登録されている画像は、その人物からの着信時などに、画像表示をするために用いられている。
【００３２】
ただし、ユーザーの中には、発信者となる人物の画像を他人に見られたくないとして、その人物の顔画像とは関係のない風景画像などを登録している場合もある。
【００３３】
この場合には、画像データに顔画像が含まれる人物が、特定人物であるか否かを判断できず、特定人物に対応付けた人物フォルダーを表示することができない。そこで、本実施形態では、これを回避するために、アドレス帳に対し、人物フォルダー表示のための参照用の顔画像を別に登録可能とし、人物フォルダー表示の際には、その別に登録されている参照用の顔画像を参照して特定人物であるか否かの判断を行うこととする。
【００３４】
顔画像比較部６０は、顔認識部４０で認識された顔画像と、アドレス帳登録部５０に登録されている特定人物の顔画像とを比較する。
【００３５】
ＣＰＵ１０は、顔認識部４０で認識された顔画像が特定人物の顔画像と一致する場合、その特定人物に対応付けた人物フォルダーを作成して表示部８０に表示する。
【００３６】
また、ＣＰＵ１０は、人物フォルダーが選択されると、選択された人物フォルダーに対応付けた特定人物の顔画像を含む画像データの一覧を表示部８０に表示する。
【００３７】
操作部７０は、ユーザーが操作を行うためのマウス、ポインティングデバイス、タッチパネル等である。
【００３８】
表示部８０は、上述のように、フォルダーや画像データ等を表示する。
（２−２）第２の実施形態の動作
次に、本実施形態の携帯端末の動作について説明する。
（２−２−１）動作の概要
まず、本実施形態の携帯端末の動作の概要について、図４を参照して説明する。
【００３９】
図４に示されるように、画像格納部３０に格納された画像データを表示する場合、まず、ＣＰＵ１０は、画面Ａ１に示されるように、画像データが格納された日付にそれぞれ対応する日付フォルダーを一覧表示する。画面Ａ１には、２月１４日から５月３日の間の日付フォルダーが表示されている。
【００４０】
画面Ａ１において、ユーザーが日付フォルダー「５月３日」を選択した場合、一般的な関連技術では、画面Ａ２に示されるように、「５月３日」に格納された画像データを新しい順番等で一覧表示する。この一覧表示では、画像データは、風景画像であるか、人物画像であるかに関わらず、単純に新しい順番等で表示されるだけである。
【００４１】
これに対して、本実施形態の携帯端末では、画面Ａ１において、ユーザーが日付フォルダー「５月３日」を選択した場合、顔認識部４０は、「５月３日」に格納された画像データ中に、顔画像を含む画像データがあるか否かを確認し、顔画像を含む画像データがあれば、顔画像比較部６０は、その顔画像をアドレス帳登録部５０に登録された特定人物（ここでは、Ａさん、Ｂさん、Ｃさん）の顔画像と比較する。その結果、特定人物の顔画像を含む画像データがある場合、ＣＰＵ１０は、画面Ａ３に示されるように、特定人物に対応付けた人物フォルダーを個別に作成し一覧表示する。さらに、複数人の特定人物の顔画像を含む画像データがある場合、ＣＰＵ１０は、複数人の特定人物の組み合わせと対応付けた人物フォルダー（ＡＢＣさん、ＡＢさん、ＡＣさん等のフォルダー）を作成し一覧表示する。
【００４２】
画面Ａ３において、ユーザーが人物フォルダー「Ａさん」を選択した場合、ＣＰＵ１０は、画面Ａ４に示されるように、「Ａさん」の顔画像を含む画像データのみを一覧表示する。
【００４３】
なお、顔認識部４０が顔認識を行う場合、画像データからは、特定人物の顔画像以外に、他人の顔画像も認識することとなる。そのため、本実施形態の携帯端末では、特定人物の顔画像を含むアドレス帳を予めアドレス帳登録部５０に登録し、その顔画像を参照することで、他人を排除して特定人物の顔画像のみを検索し、画面Ａ３に示されるように、特定人物に対応付けた人物フォルダーを表示している。
（２−２−２）動作の流れ
次に、本実施形態の携帯端末の全体動作の流れについて、図５のフローチャートを参照して説明する。ここでは、すでにカメラ部２０にて複数枚の画像の撮影が行われ、その画像データが画像格納部３０内に格納されている状態であるとする。
【００４４】
図５に示されるように、操作部７０が、ユーザーから画像格納部３０内の画像データを表示することを選択する操作を受け付けると（ステップＳ１）、ＣＰＵ１０は、例えば、図４の画面Ａ１に示されるように、画像データが格納された日付にそれぞれ対応する日付フォルダーを表示部８０に一覧表示する（ステップＳ２）。
【００４５】
次に、操作部７０が、ユーザーから日付フォルダーの１つを選択する操作を受け付ける（ステップＳ３）。ここでは、図４の画面Ａ１から日付フォルダー「５月３日」を選択する操作を受け付けたとする。
【００４６】
すると、顔認識部４０は、画像格納部３０に「５月３日」に格納された画像データを検索し、検索した画像データから顔画像を認識する（ステップＳ４）。
【００４７】
画像データに顔画像が含まれる場合（ステップＳ５のＹｅｓ）、顔画像比較部６０は、アドレス帳登録部５０に登録された特定人物（ここでは、Ａさん、Ｂさん、Ｃさん）の顔画像を参照し、画像データ中の顔画像が特定人物の顔画像のいずれかと一致するか否かを判断する（ステップＳ６）。なお、１つの画像データから複数の顔画像が認識された場合は、画像データ中の個々の顔画像を、特定人物の顔画像と照合する。
【００４８】
画像データ中の顔画像が特定人物のいずれかの顔画像と一致した場合（ステップＳ６のＹｅｓ）、ＣＰＵ１０は、図６に示されるように、画像格納部３０に格納された画像データに対し、どの特定人物の顔画像と一致するかの情報（顔リンク情報）を付加しておく（ステップＳ７）。その際、１つの画像データから複数人の特定人物の顔画像が認識された場合、顔リンク情報には複数人の特定人物の情報を含めておく。
【００４９】
以上のステップＳ４〜Ｓ７の処理は、画像格納部３０に「５月３日」に格納された全ての画像データに対して行われ（ステップＳ８）、その後、ステップＳ９の処理に移行する。
【００５０】
次に、ＣＰＵ１０は、例えば、図４の画面Ａ３に示されるように、画像データに顔画像が含まれる特定人物に対応付けた人物フォルダーを作成し表示部８０に一覧表示する（ステップＳ９）。また、１つの画像データから複数人の特定人物の顔画像が認識された場合は、それら複数人の特定人物の組み合わせと対応付けた人物フォルダー（ＡＢＣさん、ＡＢさん、ＡＣさん等のフォルダー）も作成し一覧表示する。また、特定人物の顔画像が画像認識されない画像データがある場合には、それらの画像データ専用のフォルダー（「その他」フォルダー等）を作成し表示する。
【００５１】
ここで、フォルダー名は、アドレス帳に登録されている名前とすることが考えられる。
【００５２】
また、複数人の特定人物の組み合わせに対応付けた人物フォルダーのフォルダー名は、アドレス帳に登録されている名前を連結することが考えられる。
【００５３】
ただし、特定人物の名前を連結する場合、個々のフルネームを連結するとフォルダー名が非常に長くなり視認性が落ちると考えられるため、例えば、フルネームを文字数で区切った一部を連結対象とするか、苗字のみまたは名前のみを連結対象としても良い。
【００５４】
次に、操作部７０が、ユーザーから人物フォルダーの１つを選択する操作を受け付ける（ステップＳ１０）。ここでは、図４の画面Ａ３から人物フォルダー「Ａさん」を選択する操作を受け付けたとする。
【００５５】
すると、ＣＰＵ１０は、図６に示されるように、画像データに付加された顔リンク情報を基に、画像格納部３０に「５月３日」に格納された画像データの中から、「Ａさん」の顔画像を含む画像データのみを抽出し、例えば、図４の画面Ａ４に示されるように、抽出した画像データの一覧を表示部８０に表示する（ステップＳ１１）。
【００５６】
例えば、上述のように、人物フォルダー「Ａさん」が選択された場合は、図６に示されるように、画像格納部３０に「５月３日」に格納された画像データのうち、「Ａさん」の顔画像を含むＮｏ．５９９，５９６，５９３，５９２，５９０の画像データを一覧表示することになる。
【００５７】
また、人物フォルダー「ＡＢＣさん」が選択された場合は、図６に示されるように、画像格納部３０に「５月３日」に格納された画像データのうち、「Ａさん」、「Ｂさん」、「Ｃさん」の顔画像を全て含むＮｏ．５９３の画像データを一覧表示することとなる。
【００５８】
上述したように本実施形態においては、画像データに顔画像が含まれる特定人物に対応付けた人物フォルダーを、また、１つの画像データに複数人の特定人物の顔画像が含まれている場合は、それら複数人の特定人物の組み合わせに対応付けた人物フォルダーを、一度に一覧として表示する。
【００５９】
そのため、特定人物が複数人いる場合でも、個別の特定人物の顔画像を含む画像データや、複数人の特定人物全ての顔画像を含む画像データを容易に検索することができるという効果が得られる。
【００６０】
具体的には、例えば、特定人物である「Ａさん」と「Ｂさん」の顔画像が画像データに含まれる場合、「Ａさん」に対応付けた人物フォルダーと、「Ｂさん」に対応付けた人物フォルダーと、「Ａさん」と「Ｂさん」の組み合わせに対応付けた人物フォルダーと、を一度に一覧として表示する。
【００６１】
そのため、「Ａさん」の顔画像を含む画像データ、「Ｂさん」の顔画像を含む画像データ、「Ａさん」と「Ｂさん」の双方の顔画像を含む画像データが存在することが、一目で分かるという効果が得られる。
【００６２】
また、「Ａさん」と「Ｂさん」の画像データを検索する場合、特許文献１に記載のように、その都度、検索条件を変えるのではなく、個々の人物フォルダーを選択するという簡易な操作によって、「Ａさん」の顔画像を含む画像データ、「Ｂさん」の顔画像を含む画像データ、「Ａさん」と「Ｂさん」の双方の顔画像を含む画像データを容易に検索することができるという効果が得られる。
【００６３】
また、近年では、カメラ機能を備えた携帯端末の普及により、いつでも何枚でも撮影を行うといった環境が整っており、旅行等では１日に撮影する画像が数百枚に達することも稀ではない。
【００６４】
そのため、本実施形態のように、特定人物や複数人の特定人物の組み合わせに対応付けた人物フォルダーを、一度に一覧として表示することで、視覚的なデータ整理を行うことができるという効果が得られる。
【００６５】
また、近年では、友達等へＣＤ−ＲＯＭや共有Ｂｌｏｇなどを通して、画像データを渡す、画像データをアップロードする、といった機会も多くなっている。
【００６６】
そのため、本実施形態のように、特定人物や複数人の特定人物の顔画像を含む画像データを人物フォルダーという形でまとめ、さらにそれらの人物フォルダーを一覧で表示することで、人物フォルダーの選択によって、特定人物や複数人の特定人物の顔画像を含む画像データを一括して選択することができる。
【００６７】
これにより、特定人物や複数人の特定人物の顔画像を含む画像データの一括コピー、一括アップロードも容易に可能になるため、情報共有の迅速化を図ることができるという効果が得られる。
（２−２−３）人物フォルダーの一覧表示動作
（２−２−３−１）動作例１
一般に、多くの人物の顔画像を含んでいる画像データほど、友達や家族と共有すべき優先順位が高いと考えられる。
【００６８】
具体的には、例えば、旅行後に、仲間内で共有Ｂｌｏｇなどを通して画像データを共有することを考えた場合、一緒に旅行に行ったメンバが複数人一緒に撮影されているものほど、皆で鑑賞する可能性が高いと考えられる。
【００６９】
そこで、本実施形態においては、ＣＰＵ１０は、人物フォルダーを一覧表示する際の各人物フォルダーの優先順位を、その人物フォルダーに対応付けた特定人物の人数に基づいて決定しても良い。具体的には、特定人物の人数が多い人物フォルダーほど優先順位を高くする。
【００７０】
例えば、図７の例では、「Ａさん」、「Ｂさん」、「Ｃさん」の３人に対応付けた人物フォルダー「ＡＢＣさん」の優先順位を最も高くし、最上位に表示する。また、特定人物に対応付けられていない「その他」フォルダーの優先順位を最も低くし、最下位に表示する。
【００７１】
そのため、ユーザーは、多くの特定人物に対応付けた人物フォルダーを容易に選択できるようになる。
【００７２】
なお、特定人物の人数が同数である人物フォルダー同士の優先順位については、任意の方法で決定すれば良い。
（２−２−３−２）動作例２
本実施形態においては、アドレス帳登録部５０に登録されたアドレス帳には、図３に示されるように、本携帯端末を所有するユーザーと特定人物との関係を表すステータス情報（家族、恋人、友達等）も含まれている。
【００７３】
ここで、本携帯端末を所有するユーザーにとっては、単なる「友達」の画像データよりも、「恋人」の画像データの方が、閲覧する機会が多く、優先順位が高いと考えられる。
【００７４】
そこで、本実施形態においては、ＣＰＵ１０は、人物フォルダーを一覧表示する際の各人物フォルダーの優先順位を、その人物フォルダーに対応付けた特定人物のステータス情報に基づいて決定しても良い。
【００７５】
例えば、特定のステータス情報を「恋人」と予め決めておき、「恋人」である特定人物に対応付けた人物フォルダーの優先順位を最も高くし、最上位に表示することが考えられる。
【００７６】
または、ステータス情報の優先順位を、「恋人」＞「家族」＞「友達」というように予め決めておき、優先順位が高いステータス情報を持つ特定人物に対応付けた人物フォルダーほど、上位に表示することが考えられる。
【００７７】
そのため、ユーザーは、「恋人」などの優先順位が高いステータス情報を持つ特定人物に対応付けた人物フォルダーを容易に選択できるようになる。
【００７８】
なお、特定人物のステータス情報が同一である人物フォルダー同士の優先順位については、任意の方法で決定すれば良い。
（２−２−３−３）動作例３
本携帯端末を所有するユーザーと特定人物との関係は、上述したステータス情報以外に、通信履歴から判断することもできると考えられる。
【００７９】
すなわち、本携帯端末を所有するユーザーにとっては、電話の着信や発信、メールの送受信のトータル回数や、一定期間内（１ヶ月や数週間等）の回数が多い特定人物ほど、プライベートで仲が良い等の関係にあり、画像データを閲覧する機会が多く、優先順位が高いと考えられる。
【００８０】
そこで、本実施形態においては、ＣＰＵ１０は、特定人物との通信履歴を記憶部（例えば、アドレス帳登録部５０のアドレス帳など）に格納し、人物フォルダーを一覧表示する際の各人物フォルダーの優先順位を、その人物フォルダーに対応付けた特定人物との通信履歴に基づいて決定しても良い。
【００８１】
ここで、通信履歴に基づく優先順位の決定方法としては、例えば、電話の着信や発信、メールの送受信のトータル回数（または一定期間内の回数）を単純に合計し、その合計の通信回数が多い特定人物に対応付けた人物フォルダーほど、優先順位を高くする等の方法が考えられるが、特に限定はない。
【００８２】
そのため、ユーザーは、通信回数が多い特定人物に対応付けた人物フォルダーを容易に選択できるようになる。
【００８３】
なお、特定人物の通信回数が同一である人物フォルダー同士の優先順位については、任意の方法で決定すれば良い。
（２−２−４）日付フォルダーの連結動作
一般に、カメラ部２０で多くの撮影を行う代表的な例としては旅行が考えられるが、旅行は、数日間に跨る場合も多い。
【００８４】
この場合、特定人物が撮影された画像データを検索する対象の日付フォルダーは複数存在する。例えば、図８の画面Ｄ１では、日付フォルダー「５月１日」、日付フォルダー「５月２日」、日付フォルダー「５月３日」が検索対象として存在するものとする。
【００８５】
このとき、日付フォルダーごとに、上述の手順を適用し、人物フォルダー「Ａさん」等をサブフォルダーとして表示してもよいが、旅行中の全ての画像データから「Ａさん」が撮影された画像データを一括して検索したいときなどには非常に手間が掛かる。
【００８６】
そこで、本実施形態においては、ユーザーが、操作部７０を介して、日付フォルダー同士を、重ね合わせるまたは同時に選択する等の操作（この操作は、例えば、マウスのドラッグ操作や指によるタッチパネル操作等で可能）を行った場合、ＣＰＵ１０は、それら日付フォルダーを連結する。
【００８７】
ただし、通常、ＰＣ（Personal Computer）等では、フォルダー同士を重ね合わせる操作は、フォルダー内に他のフォルダーをサブフォルダーとして入れるという操作となるため、以下の工夫を行う。
【００８８】
図８に示されるように、画面Ｄ２において、ユーザーが、特定の条件を満たす日付フォルダー同士（連続する日付の日付フォルダー等）を重ね合わせる操作（ここでは、日付フォルダー「５月１日」、「５月２日」を、日付フォルダー「５月３日」に重ね合わせる操作）を行った場合、ＣＰＵ１０は、画面Ｄ３に示されるように、１つの日付フォルダーにまとめるか、日付フォルダー内に他の日付フォルダーを入れるかを選択するためのＰＵ（Pop-Up）を表示し、いずれかをユーザーに選択させる。
【００８９】
画面Ｄ３において、ユーザーが１つの日付フォルダーにまとめることを選択した場合、画面Ｄ４に示されるように、ＣＰＵ１０は、日付フォルダー「５月１日」、「５月２日」、「５月３日」を１つにまとめ、フォルダー名を、「５月１日〜５月３日」に変更する。
【００９０】
一方、画面Ｄ３において、ユーザーが日付フォルダー内に他の日付フォルダーを入れることを選択した場合、ＣＰＵ１０は、画面Ｄ５に示されるように、日付フォルダー「５月３日」内に、日付フォルダー「５月１日」、「５月２日」をサブフォルダーとして移動する。
【００９１】
上記で１つにまとめられた日付フォルダー「５月１日〜５月３日」が選択された場合も、上述の手順を適用し、人物フォルダーを表示する。
【００９２】
すなわち、図９に示されるように、画面Ｅ１において、ユーザーが日付フォルダー「５月１日〜５月３日」を選択した場合、ＣＰＵ１０は、画面Ｅ２に示されるように、画像格納部３０に「５月１日〜５月３日」に格納された画像データ中に顔画像が含まれる特定人物に対応付けた人物フォルダー等を一覧表示する。
【００９３】
画面Ｅ２において、ユーザーが人物フォルダー「Ａさん」を選択した場合、ＣＰＵ１０は、画面Ｅ３に示されるように、画像格納部３０に「５月１日〜５月３日」に格納された画像データのうち「Ａさん」の顔画像を含む画像データのみを一覧表示する。
【００９４】
そのため、ユーザーは、例えば、旅行中の全ての画像データから、特定人物が撮影された画像データを一括して検索することができる。
（３）第３の実施形態
本実施形態は、第２の実施形態と比較して、構成自体は同様であるが、人物フォルダーを一覧表示する場合の動作が異なる。
【００９５】
第２の実施形態においては、人物フォルダーの一覧を表示する際、個別の特定人物に対応付けた人物フォルダーだけでなく、複数人の特定人物の組み合わせに対応付けた人物フォルダーも、最初から表示していた。
【００９６】
しかし、人物フォルダーを実際に表示するまでの時間が、顔認識等の処理時間に起因することを考慮すると、まずは、個別の特定人物に対応付けた人物フォルダーだけを表示するということも考えられる。
【００９７】
そこで、本実施形態においては、ＣＰＵ１０は、図１０の画面Ｆ１に示されるように、人物フォルダーの一覧を表示するに際しては、まずは、人物フォルダー「Ａさん」、人物フォルダー「Ｂさん」といった個別の特定人物に対応付けた人物フォルダーのみを表示し、複数人の特定人物の組み合わせに対応付けた人物フォルダーは表示しない。
【００９８】
ただし、画面Ｆ２において、ユーザーが人物フォルダー「Ｂさん」、「Ｃさん」を同時に選択する操作（この操作は、例えば、マウスのドラッグ操作や指によるタッチパネル操作等で可能）を行った場合、ＣＰＵ１０は、画面Ｆ３に示されるように、「Ｂさん」、「Ｃさん」の２人に対応付けた人物フォルダー「ＢＣさん」を作成し表示する。
【００９９】
なお、本実施形態においては、人物フォルダー「Ａさん」といった個別の特定人物に対応付けた人物フォルダーのみをまずは表示する。このとき、「Ａさん」が撮影された画像データには、「Ｂさん」や「Ｃさん」と一緒に撮影された画像データが少なくとも１つあることを視覚的に容易に分かるようにするために、ＣＰＵ１０は、図１１の画面Ｇ１に示されるように、人物フォルダー「Ａさん」の表示部分に「Ｂさん」と「Ｃさん」の顔画像を小さく表示しておいても良い。
（４）他の実施形態
以上、実施形態を参照して本発明を説明したが、本発明は上記実施形態に限定されものではない。本発明の構成や詳細には、本発明の範囲内で当業者が理解し得る様々な変更をすることができる。
（４−１）例えば、第２および第３の実施形態において、顔認識部４０は、顔画像を認識する人物を、画像データの所定範囲（中心部から所定の円内など）に含まれる人物に限定しても良い。周辺に写った人物は、背景として写り込んだ可能性があるためである。
（４−２）また、第２および第３の実施形態において、ＣＰＵ１０は、人物フォルダーを一覧表示する際の各人物フォルダーの優先順位を、以下のように決定しても良い。
【０１００】
すなわち、アドレス帳登録部５０のアドレス帳には、特定人物の優先度（優先度が高いほど大きな値）も登録しておく。ＣＰＵ１０は、人物フォルダーに対応付けた特定人物の優先度の合計値を計算し、合計値が大きいほど優先順位を高くする。
【０１０１】
このとき、ＣＰＵ１０は、上述のように、顔認識部４０が画像データの所定範囲から顔画像を認識した人物の優先度に限定しても良い。
【０１０２】
また、ＣＰＵ１０は、特定人物の画像データ内での大きさに応じて、優先度を調整しても良い。例えば、１人の人物が大きく写っていて、他の人物が小さく写っている場合、大きく写っている人物の優先度はそのままにして、小さく写っている人物の優先度は所定の比率（例えば、画像の面積比）で小さくして合計しても良い。
【０１０３】
こうすると、２人の人物を撮った場合、２人の人物の大きさは大体同じであるため、２人の人物の優先度を合計したものが人物フォルダーの優先度となり、一方、１人の人物を撮った場合、他の人物が写ってしまっていても、中心の１人の人物の優先度に近い値が人物フォルダーの優先度となる。
（４−３）また、第２および第３の実施形態において、ＣＰＵ１０は、人物フォルダーを一覧表示する際の表示順を、ユーザーの指示で変更しても良い。
【０１０４】
例えば、ユーザーが学生である場合、クラスの集合写真等の画像データを検索する場合は、複数人に対応付けた人物フォルダーを上位に表示し、特定の個人の画像データを検索する場合は、１人に対応付けた人物フォルダーを上位に表示すれば、検索が容易となる。
（４−４）また、第２および第３の実施形態において、本発明の携帯端末を、携帯電話機やスマートフォンに適用する例に挙げたが、本発明の携帯端末は、ゲーム機、タブレット型ＰＣ、ノート型ＰＣなどに適用することも可能である。
（４−５）また、本発明の携帯端末にて行われる方法は、コンピュータに実行させるためのプログラムに適用してもよい。また、そのプログラムを記憶媒体に格納することも可能であり、ネットワークを介して外部に提供することも可能である。
【符号の説明】
【０１０５】
１    表示部
２    記憶部
３    制御部
１０    ＣＰＵ
２０    カメラ部
３０    画像格納部
４０    顔認識部
５０    アドレス帳登録部
６０    顔画像比較部
７０    操作部
８０    表示部
【図１】
2013037525.tif 000003
【図２】
2013037525.tif 000004
【図３】
2013037525.tif 000005
【図５】
2013037525.tif 000006
【図４】
2013037525.tif 000007
【図６】
2013037525.tif 000008
【図７】
2013037525.tif 000009
【図８】
2013037525.tif 000010
【図９】
2013037525.tif 000011
【図１０】
2013037525.tif 000012
【図１１】
2013037525.tif 000013